(57)【要約】【課題】  有害獣捕獲時に猪・鹿捕獲檻罠を使用し捕獲する。架設から撤去までの作業効率を簡素化し捕獲作業時の安全面確保、捕獲獣の盗難防止機能を備え檻罠の強度、耐久性の向上と多様な仕掛用法に対応し捕獲率の上昇により農林業被害対策の軽減を目的とする。【解決手段】  猪・鹿捕獲檻罠本体１を５個分割組立にし運搬架設時の重量軽減、撤去作業までの容易さを考案し、網部接合箇所に補強溶接と連結部にワイヤ−クリップ２０本止め７をし更に各枠部との連結部にボルト・ナット４８本止め６で本体強固にし更に錆止めカモフラ−ジュ塗装で檻罠の耐久性も向上した。捕獲待機仕掛作業時には安全ロック部１５と分離式鍵１６の作動で、出入口格子扉部４の誤作動落着と開口防止機能を備え安全面と盗難防止面も優れた。捕獲待機時には雨よけ仕掛誤作動防止板１７を網部上面に置き雨等による捕獲エサの流出、木の枝等の落下物による仕掛の誤作動を防止し多様な仕掛用法にも対応した。【選択図】図１
0003170855.tif 000002
【実用新案登録請求の範囲】
【請求項１】
折りたたみ式檻網部、上・下２分割式落着スライド枠部、垂直開閉出入口格子扉部、檻網後部枠部を５個分割で構成し、折りたたみ式檻網部と各枠部は、ハメ込み式の結合部を有し、組立時、位置関係は、垂直開閉出入口格子扉部と上・下２分割式落着スライド枠部を正面に見て、その後部には折りたたみ式檻網部、最後部に檻網後部枠部で、各枠部結合箇所をハメ込み組立、４８本のボルト・ナットで固定してなる猪・鹿捕獲檻罠。
【請求項２】
折りたたみ式檻網部は、網部圧着接合部箇所を更に補強溶接し、各檻網４枚の形状は、長方形の檻網を使用しており、各檻網の長方端部の８辺を、ワイヤ−クリップ２０個を装着し連結、直方体に組立、更に檻網の運搬、撤去収納時に檻網が、折りたたみが出来る事を特徴とする請求項１記載の猪・鹿捕獲檻罠。
【請求項３】
上・下２分割式落着スライド枠部は、狩猟期間終了時に、上部枠を分離し垂直開閉出入口格子扉部のみを安易に撤去する事ができ、檻罠の盗難時等においても、猪・鹿捕獲檻罠を、狩猟行為不可能状態にする事も可能とした事を特徴とし、更に、枠部垂直左、右側面のスライド部に使用した逆Ｍ字形状のチャンネルの中に、垂直開閉出入口格子扉部の、格子部の左、右外側面に、垂直に使用した丸形状の開閉始動丸パイプ部を、垂直に収める事により、扉部の開閉作動時、両部の形状により摩擦抵抗が減少され、垂直開閉出入口格子扉部の均一な平行上下移動による開閉作動を可能とした事を特徴とし、更に、重量のある猪等の体当り行動により垂直開閉出入口格子扉部の格子部が変形等においても、両部の形状により、開閉始動丸パイプ部が、スライド部からの脱落を防止する事が出来る形状を備えた事を特徴とする請求項１記載の猪・鹿捕獲檻罠。
【請求項４】
垂直開閉出入口格子扉部は、前記、上・下２分割式落着スライド枠部のスライド部の中に収める開閉始動丸パイプ部を使用し、右側の丸パイプ部の側面の上、下に安全ロック部のピストン部との結合穴を孔け、ピストン部との結合時、扉部の落着防止と、開口防止が出来る機能を備えた事を特徴とし、更に格子部の最下部に平行に使用した丸パイプの上面中央部に開閉用取手部を付け、重量のある扉部の安易な開閉作業が出来る事を特徴とし、更に、扉部の落着時には、開閉始動丸パイプ部の左、右最下部のみが、上・下２分割式落着スライド枠部の下部枠のスライド部最下部接地面に落着接地し、出入口格子扉部の最下部に平行に使用した丸パイプ部下面と、上・下２分割式落着スライド枠部の下部枠最下部獣出入口面との間に大人の足指等が入るだけの隙間部を空け、作業者、他、第三者の足指等の怪我を防止する事が出来る安全機能を備えた形状を特徴とする請求項１記載の猪・鹿捕獲檻罠。
【請求項５】
安全ロック部は、上・下２分割式落着スライド枠部の右側上側面に、安全ロック部の丸パイプを溶接固定し、丸パイプの中にピストン部とコイルスプリング部を内臓装着し、ピストン部の後部側に、左締めのさし込ネジで結合装着した分離式鍵の手作動によるピストン部の後進と、コイルスプリング部の押し圧で自作動前進するピストン部が、前記、垂直開閉出入口格子扉部に使用した、開閉始動丸パイプ部の右側、側面上、下に孔けたピストン部との結合穴に自動結合する機能を備えた事により、垂直開閉出入口格子扉部の開閉作業の開口時、誤作動落着回避を可能とし、更に分離式鍵を用い格子扉部の落着防止を解除、分離式鍵を分離し、獣類捕獲による垂直開閉出入口格子扉部の落着時、開口防止機能による捕獲獣の逃走、盗難防止と、檻罠盗難時の違法狩猟等防止対策機能と、上記、扉部開口時の誤作動等、落着防止が出来る機能部を備えた事を特徴とする請求項１記載の猪・鹿捕獲檻罠。
【請求項６】
本考案の、猪・鹿捕獲檻罠は、５個分割組立式で構成された、猪・鹿捕獲檻罠である事により、捕獲目的狩猟獣、捕獲目的場所等の状況によって、檻網後部枠部を分離して、別個に用いた、上・下２分割式落着スライド枠部と、垂直開閉出入口格子扉部を、折りたたみ式檻網部の後部側に組立し、仕掛糸等を連動させ、一対の両扉式の猪・鹿捕獲檻罠に組立する事が出来る事を特徴とする請求項１記載の猪・鹿捕獲檻罠。
【請求項７】
本考案の、猪・鹿捕獲檻罠は、５個分割組立式で構成された、猪・鹿捕獲檻罠である事により、捕獲目的狩猟獣、捕獲目的場所等の状況によって、２組の、猪・鹿捕獲檻罠を用い、２組の檻網後部枠部を分離し、別個に用いた、檻網後部２組連結枠部１組を用いて、２組の檻網後部側を連結組立して、２組の仕掛部を、仕掛糸等で連動させ、一対の大型両扉式の、猪・鹿捕獲檻罠に組立する事が出来る、請求項１記載の猪・鹿捕獲檻罠。
【考案の詳細な説明】
【技術分野】
【０００１】本考案は、猪、鹿捕獲、狩猟、野生有害獣駆除に関するものである。
【背景技術】
【０００２】  檻罠は、重量があり運搬、組立、設置時に多人数での作業が必要であり狩猟期間終了時の撤去作業が困難な事から、狩猟期間終了後も山野に放置される事が多く、檻罠所有者の狩猟期間外の管理不足の為に生ずる檻罠の盗難に伴う檻罠所有者以外の期間外違法狩猟に利用される事や、狩猟期間中においても、適正狩猟捕獲獣の盗難事例も多く見受けられた。【０００３】  又、近年に見る檻罠等は、檻罠天井面の上部に張設した仕掛糸や、複雑な機械式で作動する仕掛部等があり、狩猟期間中の捕獲待機時に、木の枝等の落下物や、鳥類等による仕掛部の誤作動等で、出入口扉部の落着や、雨、雪等による捕獲エサの流出があり、頻繁に、檻罠の状況確認作業や、捕獲エサの補充が必要であった。【０００４】  組立捕獲待機仕掛作業時等の作業では、重量のある鉄板製の出入口扉部が誤作動等の落着により、作業者、他、第三者の足指等の怪我の危険性や、捕獲開閉作動時に扉部が平行に上下移動しないで途中で止まる場合があった。又近年では、狩猟者の高齢化と銃規制の強化等に伴なう狩猟者の減少と、銃猟から罠猟への転向者や、自治体等が推進して行う有害獣捕獲を目的とした集落自衛団組織化事業等で農林家が新規に罠免許を取得した檻罠狩猟者等の経験不足から生ずる捕獲率の低下に伴う捕獲目的狩猟獣の逃走、学習能力の向上にも繋がった。【０００５】  檻罠の耐久性では、網部強度不足により修理が必要になる事や、檻罠の材質は、鉄を多く使用しており、雨等による錆が酷く耐久性には優れていなかった事などが多くの檻罠狩猟従事者等の課題点であった。
【考案の概要】
【考案が解決しようとする課題】
【０００６】  本考案は、上記の諸問題を解決するために考案されたもので、檻罠の運搬から狩猟期間終了時の撤去までの作業効率の簡素化、捕獲率の上昇により有害狩猟獣に対する農林業被害対策の軽減、架設、捕獲作業時の安全面、捕獲獣の逃走、盗難防止、仕掛の多様性、檻罠盗難時の対策機能等を備え、檻罠の耐久性に優れた猪・鹿捕獲檻罠の提供を目的とする。
【考案を解決するための手段】
【０００７】  檻罠の運搬、組立、修理補修、狩猟期間終了後の撤去作業を１人で行なえるように、猪・鹿捕獲檻罠本体（錆止めカモフラ−ジュ塗装）１を５個分割組立式にして軽量化にした。
【０００８】  檻罠設置後の捕獲待機時に、木の枝等の落下物、鳥類等による仕掛糸等の誤作動により垂直開閉出入口格子扉部４の落着や、雨等による捕獲エサの流出を防ぐために、檻罠網部上面に、雨よけ等・仕掛部誤作動防止板１７を任意に置く箇所を備えた。
【０００９】  又、上・下２分割式落着スライド枠部３に垂直開閉出入口格子扉部４を安易な収納と、分離、撤去作業が出来るように、上・下２分割式落着スライド枠部３を、上・下２分割式にし、狩猟期間終了後、垂直開閉出入口格子扉部４のみを撤去し、猪・鹿捕獲檻罠本体（錆止めカモフラージュ塗装）１を、狩猟行為不可能状態にする事も可能にした。
【００１０】  更に、上・下２分割式落着スライド枠部３の垂直両側面に、逆Ｍ字形状の鋼材を使用したスライド部８を設け、垂直開閉出入口格子扉部４の格子部両外側面に垂直に使用した丸形状の、開閉始動丸パイプ部９を、スライド部８の中に垂直に収める事により扉部の上、下開閉作動時の摩擦抵抗が減少され、垂直開閉出入口格子扉部４の均一な平行上下移動を可能にした。更に重量のある猪等の捕獲時、体当り行動による、垂直開閉出入口格子扉部４の格子部の変形等においても、開閉始動丸パイプ部９がスライド部８からの脱落を防止する機能も、逆Ｍ字の鋼材の形状と、丸形状の鋼材の丸パイプを使用する事により確保した。
【００１１】  又、捕獲待機仕掛作業等の、垂直開閉出入口格子扉部４の開閉作業時に、重量のある垂直開閉出入口格子扉部４の安易な開閉作業を可能にするために、開閉用取手部１０を、垂直開閉出入口格子扉部４の格子部の下部中央付近に平行に設け、開閉作業時の作業効率も向上した。
【００１２】  更に垂直開閉出入口格子扉部４の誤作動等の落着時においても、作業者、他、第三者の足指等の怪我を回避するために、垂直開閉出入口格子扉部４の格子扉平行部の５箇所に丸形状の丸パイプを使用し、最下部の丸パイプ平行面と、上・下２分割式落着スライド枠部３の下部枠の最下部、獣出入口面との間に、大人の足指等が入るだけの、足指等怪我防止隙間部２４を空けた部を設け、扉部の開閉作動時の安全面も優れた。
【００１３】  更に、垂直開閉出入口格子扉部４の誤作動等による落着を防止する機能と、捕獲落着時、開口防止機能による、捕獲獣の逃走、盗難防止機能を備えるために、上・下２分割式落着スライド枠部３の下部枠の右側上側面に、安全ロック部（組立・架設時落着防止）１５のピストン部２３とコイルスプリング部２２を内臓装着するために使用した丸パイプを溶接固定し、ピストン部２３の後部側に、さし込みネジ式で結合装着する分離式鍵（捕獲時・開口・盗難防止）１６を結合装着し、分離式鍵（捕獲時・開口・盗難防止）１６の手作動と、コイルスプリング部２２の押し圧で、自作動するピストン部２３の作動により、垂直開閉出入口格子扉部４に使用した開閉始動丸パイプ部９の右側上、下側面に孔けたピストン部結合穴２１にピストン部２３が、自作動で結合され、垂直開閉出入口格子扉部４の開閉作業時の誤作動落着防止機能と、獣類捕獲落着時には、開口防止機能による逃走を防止し、更に分離式鍵（捕獲時・開口・盗難防止）１６の分離時には、捕獲獣の盗難防止機能も備えた。
【００１４】  また、分離式鍵（捕獲時・開口・盗難防止）１６は、分離して持ち運びも可能にし、分離式鍵（捕獲時・開口・盗難防止）１６が、ない場合には、捕獲待機仕掛作業他、捕獲獣等の搬出作業を、檻罠所有者以外、出来ないようにし、更に分離式鍵（捕獲時・開口・盗難防止）１６は、反時計廻りの左締めさし込みネジ式の特殊ネジにし、猪・鹿捕獲檻罠本体（錆止めカモフラージュ塗装）１の盗難時等においても違法狩猟行為等に利用出来ないようにした。
【００１５】  また、猪等捕獲時には、扉部が格子状であり、出入口側が見渡せる為、猪等の習性状扉部への体当り行動による格子扉部の損傷を抑える為に、黒色ゴムシートを、平行渦巻き状に巻き上げて、取付ける部を、上・下２分割式落着スライド枠部３の下部枠左、右上側面に有し、猪等捕獲による、垂直開閉出入口格子扉部４の落着時、黒色ゴムシートが同時に落着し、格子部全面を覆いかぶせる部を任意に備えている。
【００１６】  更に、檻網部は、運搬時の重量を軽減を目的にするために、安価な建設用のワイヤーメッシュ等を使用している事から、檻網部の損傷を抑えるために各、檻網部圧着接合部箇所を更に補強溶接をし、折りたたみ式檻網部（圧着接合部箇所補強溶接）２の連結部には、ワイヤークリップ檻網連結部２０個止め７をして、更に劣化防止策として猪・鹿捕獲檻罠本体（錆止めカモフラージ塗装）１に錆止めカモフラージュ塗装をし耐久性にも優れた。
【００１７】  又、折りたたみ式檻網（圧着接合部箇所補強溶接）２と上・下２分割式落着スライド枠部３と檻網後部枠（圧着接合部箇所補強溶接）５との結合は、各枠部ハメ込式にして組立、ボルト・ナット各枠部４８本止め６で固定し、本体強固につながった。
【００１８】  又、猪・鹿捕獲檻罠本体（錆止めカモフラ−ジュ塗装）１は、折りたたみ式檻網部と、各枠部を５個分割組立式で構成された捕獲檻罠である事により、捕獲目的狩猟獣、捕獲目的場所等の状況に対応出来るように、檻網後部枠部５を分離し、別個に用いた上、下２分割式落着スライド枠部３と、垂直開閉出入口格子扉部４を分離した檻網後部側に組立て、一対の両扉式の猪・鹿捕獲檻罠にする事を可能にし、更に、猪・鹿捕獲檻罠本体（錆止めカモフラ−ジュ塗装）１を、２組用い、両組の檻網後部枠部５を分離し、檻網後部連結枠部２０を用い別個に用いたボルト、ナット１５個で両組の檻網後部側を連結して、一対の大型両扉式の、猪・鹿捕獲檻罠に組立が出来る事を可能にした。
【００１９】  更に仕掛糸、仕掛時には、上・下２分割式落着スライド枠部３の上部枠の中央に平行に使用したチャンネルの中央付近よりワイヤーで吊り下げた仕掛棒部１１と可動連結する仕掛部ワイヤ−１２と、仕掛糸で作動する仕掛糸結合リング部１３を付け、仕掛糸を連結し、仕掛糸通し滑車（裏面）１４を用い多様な仕掛を可能にした。更に上・下２分割式落着スライド枠部３の上部枠の最上部前面の中央部には、架設所有者標識板取付可能部（落着スライド枠上部前面）１８と、通信機取付可能部（裏面）１９を設け、個々の仕掛用法に対応した。
【考案の効果】
【００２０】  本考案を使用する事により作業効率の簡素化、捕獲率の上昇による農林業被害対策の軽減、架設、捕獲作業時の安全面、捕獲獣の逃走、盗難防止、仕掛の多様性、檻罠の耐久性に優れた。
【考案を実施するための形態】
【００２１】  図１は、本考案の猪・鹿捕獲檻罠本体（錆止めカモフラージュ塗装）１の実施例の斜視図であり、金属製の折りたたみ式檻網部等と、ハメ込み組立式の各、枠部で構成された部材を、簡易に運搬、組立と、分離撤去ができ、垂直開閉出入口格子扉部４の開閉作動により、猪、鹿等の捕獲や作業を行ない、上、下２分割式落着スライド枠部３の下部枠に溶接固定で取り付けた安全ロック部１５の機能により捕獲作業時の安全面、捕獲獣の逃走、盗難防止等の各機能性をもたせた猪・鹿捕獲檻罠本体図である。
【００２２】  図２は、本考案の、折りたたみ式檻網部（圧着接合部箇所補強溶接）２を４枚の長方形網で直方体に組立時、前後の正方端部の８辺に、各枠部と、ハメ込み組立式で結合するボルト穴を孔けた部を有し、各檻網４枚の長方端部の、６辺の１５箇所を、ワイヤークリップ檻網連結部２０個止め７（ナット部３０個分離不可）で可動連結し、屏風を横に倒して立掛けた状態図で、檻網部、折りたたみ状態から展開し、残り５個のワイヤークリップを使用し、檻網長方端部の最端部の、２辺を連結し、直方体に組立作業工程途中の実施例を示す状態の斜視図である。
【００２３】  図３は、上・下２分割式落着スライド枠部３の下部枠に垂直左、右側面に使用した逆Ｍ字形状のスライド部８の中に垂直開閉出入口格子扉部４の格子部左、右外側面に垂直に使用した丸形状の開閉始動丸パイプ部９が垂直に収まった状態図で、垂直開閉出入口格子扉部４の開閉作動時、両部の形状により摩擦抵抗が減少され垂直開閉出入口格子扉部４が常時均一に平行上下移動し、獣類捕獲時における、垂直開閉出入口格子扉部４の落着時には、重量のある猪等の体当り行動により垂直開閉出入口格子扉部４の格子部の変形等においても、開閉始動丸パイプ部９がスライド部８からの脱落を防止する機能を備えた形状を示す実施例の平面詳細図である。
【００２４】  図４〜５は、垂直開閉出入口格子扉部４の格子部左、右外側面に、丸形状の開閉始動丸パイプ部９を垂直に付け、安全ロック部（組立・架設時落着防止）１５に内臓されたピストン部２３との、ピストン結合穴２１を右側の開閉始動丸パイプ部９の上、下側面に孔けた部を有している。更に重量のある扉部の安易な開閉作業を可能にする為に、垂直開閉出入口格子扉部４の格子平行部の５箇所に設けた丸形状の丸パイプを使用し、最下部の丸パイプの中央上部面に、扉部開閉用の開閉用取手部１０を平行に取り付けた状態図である。更に、垂直開閉出入口格子扉部４の落着時、開閉始動丸パイプ部９の最下部接地面が、上・下２分割式落着スライド枠部３の下部枠のスライド部８の最下部接地面のみに落着接地し、格子扉部の平行部に使用した最下部の丸パイプの下面と、上・下２分割式落着スライド枠部３の下部枠の最下部獣出入口面との間に、作業者、他、大人の足指等が入るだけの、足指等怪我防止隙間部２４を空け、垂直開閉出入口格子扉部４の誤作動等、他の落着時、足指等怪我防止の安全機能を示す実施例の立面詳細図である。
【００２５】  図７は、安全ロック部（組立・架設時落着防止）１５の外装筒に使用した丸パイプを上・下２分割式落着スライド枠部３の下部枠右側上側面に溶接固定し、丸パイプの中にピストン部２３とコイルスプリング部２２を内臓装着し、ピストン部の後部側に、分離式鍵（捕獲時・開口・盗難防止）１６を、左締めの、さし込ネジで結合装着した状態図であり、捕獲待機仕掛作業時等の、垂直開閉出入口格子扉部４の開閉作業の開口時、ピストン部２３にさし込みネジで結合装着した分離式鍵（捕獲時・開口・盗難防止）１６を手作動で引き、ピストン部２３を後進させ、垂直開閉出入口格子扉部４を開口し、開口着後には、コイルスプリング部２２の押し圧で自作動前進するピストン部２３が、開閉始動丸パイプ部９のピストン結合穴２１の下部穴に自動結合され、垂直開閉出入口格子扉部４の誤作動等の、落着を防止し、すべての仕掛作業完了後、分離式鍵（捕獲時・開口・盗難防止）１６を手作動で引き、ピストン部２３を後進させ垂直開閉出入口格子扉部４の落着防止を解除し、分離式鍵（捕獲時・開口・盗難防止）１６を分離し、捕獲待機、更に獣類捕獲時における垂直開閉出入口格子扉部４の落着時には、コイルスプリング部２２の押し圧でピストン部が自作動前進し、開閉始動丸パイプ部９のピストン結合穴２１の上部穴に自動結合され、垂直開閉出入口格子扉部４の開口を防止する機能による、捕獲獣の逃走、盗難を防止し、獣類捕殺後の搬出作業には、分離した分離式鍵（捕獲時・開口・盗難防止）１６を用い、開口防止を解除して、垂直開閉出入口格子扉部４を開口し、搬出するまでの作業時の安全機能、捕獲獣の逃走、盗難防止機能を備えた事を示す実施例の平面詳細図である。
【００２６】  図８〜１０は、猪・鹿捕獲檻罠本体（錆止めカモフラージュ塗装）１が、折りたたみ式檻網部（圧着接合部箇所補強溶接）２と、各、枠部を、５個分割組立式で構成された、猪・鹿捕獲檻罠である事により、捕獲目的狩猟獣、捕獲目的場所等の状況に対応出来るように、檻網後部枠部５を分離し、別個に用いた上・下２分割式落着スライド枠部３と、垂直開閉出入口格子扉部４を、分離した檻網後部側に組立て、一対の両扉式の、猪・鹿捕獲檻罠に組立した図８の実施例の側面（立面）図であって、更に、猪・鹿捕獲檻罠本体（錆止めカモフラージュ塗装）１を、２組用い、２組の檻網後部枠部５を分離し、檻網後部２組連結枠部２０を用い、別個に用いたボルト、ナット１５個で２組の檻網後部側を連結して、一対の、大型両扉式の、猪・鹿捕獲檻罠に組立した事を示す実施例、図９の側面（立面）図と、図１０の斜視図である。
【図面の簡単な説明】
【００２７】
【図１】本考案の、猪・鹿捕獲檻罠本体１の斜視図である。
【図２】本考案の、猪・鹿捕獲檻罠本体１の、折りたたみ式檻網部（圧着接合部箇所補強溶接）２の組立前又は、撤去時の折りたたみ前の斜視図である。
【図３】本考案の、猪・鹿捕獲檻罠本体１の、上・下２分割式落着スライド枠部３の、下部枠を、折りたたみ式檻網部（圧着接合部箇所補強溶接）２に、ハメ込み組立後、垂直開閉出入口格子扉部４を、下部枠に、建て込み収納時の平面図である。
【図４】本考案の、猪・鹿捕獲檻罠本体１の、上・下２分割式落着スライド枠部３を、上、下に分割し、垂直開閉出入口格子扉部４を、下部枠に建込み収納前又は、分離後の立面図である。
【図５】本考案の、猪・鹿捕獲檻罠本体１の、正面（立面）図である。
【図６】本考案の、猪・鹿捕獲檻罠本体１の、側面（立面）図である。
【図７】本考案の、猪・鹿捕獲檻罠本体１の、安全ロック部（組立・架設時落着防止）１５と、分離式鍵（捕獲時・開口・盗難防止）１６の、機能部の、平面図である。
【図８】本考案の、猪・鹿捕獲檻罠本体１を、一対の両扉式の猪・鹿捕獲檻罠に組立時の側面（立面）図である。
【図９】本考案の、猪・鹿捕獲檻罠本体１を、２組用い、２組の檻網後部側を連結し、一対の大型両扉式の猪・鹿捕獲檻罠に組立時の側面（立面）図である。
【図１０】本考案の、猪・鹿捕獲檻罠本体１の、檻網後部枠部５と、檻網後部連結枠部２０の、組立前又は、分離後の、斜視図である。
【符号の説明】
【００２８】１    猪・鹿捕獲檻罠本体（錆止めカモフラ−ジュ塗装）
２    折りたたみ式檻網部（圧着接合部箇所補強溶接）
３    上・下２分割式落着スライド枠部
４    垂直開閉出入口格子扉部
５    檻網後部枠部（圧着接合部箇所補強溶接）
６    ボルト・ナット各枠部４８本止め
７    ワイヤ−クリップ檻網連結部２０個止め
８    スライド部
９    開閉始動丸パイプ部
１０  開閉用取手部
１１  仕掛棒部
１２  仕掛部ワイヤ−
１３  仕掛糸結合リング
１４  仕掛糸通し滑車（裏面）
１５  安全ロック部（組立・架設時落着防止）
１６  分離式鍵（捕獲時・開口・盗難防止）
１７  雨よけ等・仕掛誤作動防止板
１８  架設所有者標識板取付可能部（落着スライド枠上部前面）
１９  通信機取付可能部（裏面）
２０  檻網後部２組連結枠部
２１  ピストン結合穴
２２  コイルスプリング部
２３  ピストン部
２４  足指等怪我防止隙間部
【図１】
0003170855.tif 000003
【図２】
0003170855.tif 000004
【図３】
0003170855.tif 000005
【図４】
0003170855.tif 000006
【図５】
0003170855.tif 000007
【図６】
0003170855.tif 000008
【図７】
0003170855.tif 000009
【図８】
0003170855.tif 000010
【図９】
0003170855.tif 000011
【図１０】
0003170855.tif 000012